(57)【要約】【課題】外部からの光を受けずとも車止めブロックの位置を容易に確認することができる自発光体付車止めブロックを提供する。【解決手段】車止めブロック本体１２の端部寄りの位置に、自発光の発光体１３とその電源装置１４を設け、前記発光体１３が、車止めブロック本体１２に対して、この車止めブロック本体１２の端部で正面から上面にかけて露見するように組み込んだ樹脂製レンズ１７と、前記樹脂製レンズ１７の内部に納まるように配置した光源１９とで形成されている。【選択図】図１
2011231462.tif 000002
【特許請求の範囲】
【請求項１】
車止めブロック本体に自発光の発光体を設けた自発光体付車止めブロック。
【請求項２】
上記発光体が、車止めブロック本体に対して、この車止めブロック本体の端部で正面から上面にかけて露見するように組み込んだ樹脂製レンズと、前記樹脂製レンズの内部に納まるように配置した光源とで形成されている請求項１に記載の自発光体付車止めブロック。
【請求項３】
上記発光体の電源に太陽電池を使用した請求項１又は２に記載の自発光体付車止めブロック。
【請求項４】
上記発光体の電源蓄電部にキャパシタ又は充電式蓄電池を使用した請求項１又は２に記載の自発光体付車止めブロック。
【発明の詳細な説明】
【技術分野】
【０００１】
この発明は、一般駐車場における床面に設置する自発光体付車止めブロックに関する。
【背景技術】
【０００２】
従来、図４に示すように、一般駐車場における路面に設置する車止めブロック１は、車止めブロック本体２の正面に反射板３や蓄光板を取付け、正面からの光源に反応して光を発する構造になっている（例えば、特許文献１参照）。
【先行技術文献】
【特許文献】
【０００３】
【特許文献１】特開２００８−１７５０３８号公報
【発明の概要】
【発明が解決しようとする課題】
【０００４】
しかしながら、従来の車止めブロックは、反射板への外部からの光源の角度及び照度によって、車止めブロックに対する認識度が大きく変わるほか、暗闇や雨天時など路面が光っている場合の後退駐車時にサイドミラー等での確認が困難であるという問題がある。
【０００５】
そこで、この発明の課題は、自動車の走行時や駐車時に、外部からの光を受けずとも車止めブロックの位置を容易に確認することができる自発光体付車止めブロックを提供することにある。
【課題を解決するための手段】
【０００６】
上記の課題を解決するため、請求項１の発明は、車止めブロック本体に自発光の発光体を設けたものである。
【０００７】
請求項２の発明は、上記発光体が、車止めブロック本体に対して、この車止めブロック本体の端部で正面から上面にかけて露見するように組み込んだ樹脂製レンズと、前記樹脂製レンズの内部に納まるように配置した光源とで形成されているようにしたものである。
【０００８】
請求項３の発明は、上記発光体の電源に太陽電池を使用したものである。
【０００９】
請求項４の発明は、上記発光体の電源蓄電部にキャパシタ又は蓄電池を使用したものである。
【００１０】
ここで、上記車止めブロック本体は、コンクリートや合成樹脂を用い、正面が後方に向けて登り傾斜で上面が水平となる横長に形成され、その両端部寄りの位置で正面から上面にわたって設けた凹欠部内に樹脂製レンズが納まり、この樹脂製レンズに設けた収納孔の内部に光源が収納され、光源を点灯させると樹脂製レンズが発光するようになっている。
【００１１】
また、発光体の電源は、車止めブロック本体の両端部寄りの位置に設けた収納部内に納まり、太陽電池素子により発電したエネルギーを蓄電し、周辺がしかるべき照度になると放電し、光源を自動的に点灯・点滅させるようになっている。
【発明の効果】
【００１２】
請求項１の発明によると、車止めブロック本体に設けた発光体が外部からの光源なしで発光するので、店舗などの広い駐車場でも車止めブロックの位置が認識しやすく、雨天時や夜間でも顔を出さずとも確認でき、路面の光との区別もしやすく、後退駐車時にもサイドミラーにより定位置への駐車が容易に可能となる。
【００１３】
請求項２の発明によると、車止めブロック本体に組み込んだ樹脂製レンズを光源で発光させるので、光源からの光を樹脂製レンズで広範囲に拡散させることができ、車止めブロックの認識性をあげることができる。
【００１４】
請求項３の発明によると、太陽電池を使用することにより、配線工事が不要になり、電源設備の簡略化と低コスト化が図れることになる。
【００１５】
請求項４の発明によると、電源蓄電部にキャパシタ又は蓄電池を使用することにより、太陽電池による発電を蓄電して発光体を点灯させることができ、商用電源を使用しないので経済的に有利となる。
【図面の簡単な説明】
【００１６】
【図１】（ａ）はこの発明に係る発光体付車止めブロックの平面図、（ｂ）は同じく正面図
【図２】図１（ｂ）の矢印ａ−ａの部分でのこの発明に係る発光体付車止めブロックの拡大した縦断側面図
【図３】この発明に係る発光体付車止めブロックの使用状態を示す斜視図
【図４】従来の車止めブロックを示す斜視図
【発明を実施するための形態】
【００１７】
以下、この発明の実施の形態を図示例に基づいて説明する。
【００１８】
図１乃至図３のように、この発明の発光体付車止めブロック１１は、車止めブロック本体１２の両端部寄りの位置に、自発光の発光体１３と、この発光体１３の電源装置１４を設けて形成されている。
【００１９】
上記車止めブロック本体１２は、コンクリートや合成樹脂を用い、底面１２ａの前縁から立上がる正面１２ｂが後方に向けて登り傾斜となり、水平となる上面１２ｃと上下方向の後面１２ｄを有する断面棒形となる形状の横長に形成され、この車止めブロック本体１２の両端部寄りの位置に、発光体１３が納まる凹欠部１５と、電源装置１４の収納部１６が設けられている。
【００２０】
この凹欠部１５は、図示の場合、車止めブロック本体１２の上部で前寄りの位置に正面１２ｂから上面１２ｃにわたって開口するよう底面が水平で後面が垂直となるように設けたが、車止めブロック本体１２の成形時に発光体１３を埋め込むようにしてもよい。
【００２１】
上記発光体１３は、厚みのある透明なアクリル樹脂板を用いた樹脂製レンズ１７と、この樹脂製レンズ１７に設けた収納孔１８の内部に収納した光源１９とで形成され、樹脂製レンズ１７は上記した凹欠部１５内に納まる状態で、前面１７ａは車止めブロック本体１２の前面１２ａに沿った傾斜面で、上面１７ｂが車止めブロック本体１２の上面１２ｃに沿った水平面となり、この前面１７ａと上面１７ｂがブロック本体１２から露見するようになっており、この樹脂製レンズ１７の上面１７ａと後面１７ｂの上部コーナをカットした傾斜面の部分に、電球やＬＥＤ等を用いた光源１９の収納孔１８が設けられている。
【００２２】
上記電源装置１４は、太陽電池方式を採用し、太陽電池素子２０で発電した電力を蓄電部に蓄え、周辺がしかるべき照度になると放電し、光源１９を自動的に点灯又は点滅させるようになっている。
【００２３】
太陽電池方式の電源装置１４は、車止めブロック本体１２に設けた収納部１６の上面に太陽電池素子２０を配置し、収納部１６の内部に、前記太陽電池素子２０で発生した電力を蓄える蓄電部２２やトランジスタ２３を有する監視回路２１等を収納して形成されている。
【００２４】
上記電源装置１４は、日中において、例えば、蓄電部２２の電圧が前夜の点灯により１．２Ｖ以下にあり、太陽電池素子２０が日中の太陽光で発電して電圧が１．５Ｖ以上になることで、蓄電部２２に対する充電状態となり、このとき、監視回路２１は、太陽電池素子２０の電圧が蓄電部２２の電圧よりも勝っているので、光源１９を消しておくという判断をすることで、光源１９を消灯させることになる。
【００２５】
また、太陽が沈み、太陽電池素子２０の発電電圧が０Ｖになると、蓄電部２２は日中の充電により電圧が１．２Ｖ以上となり、監視回路２１は、太陽電池素子２０の電圧０Ｖで蓄電部２２の電圧が勝っているので、光源１９を点灯させようと判断をすることで、光源１９に対して通電となり、光源１９を点灯又は点滅させることになる
【００２６】
このような太陽電池方式の電源装置１４は、配線工事が不要になるだけでなく、日中の太陽エネルギーで電力を蓄電部２２に充電できるので商用電源が不要になり、経済的にも優れている。
【００２７】
なお、上記蓄電部２２としては、キャパシタ又は充電式蓄電池を使用することができ、多数回の繰り返し充電が可能となり、メンテナンスフリーとなる利点がある。
【００２８】
更に、上記発光体１３は、車止めブロック本体１２に対して何れか一方の端部に設けるようにしてもよく、また、光源１９を点灯又は点滅させたり消灯させるタイミングは、照度センサーやタイマーで行うようにしてもよく、電灯や蛍光灯を光源として発電させるような条件に設置されている場合に対応することができる。
【００２９】
この発明の発光体付車止めブロック１１は、上記のような構成であり、図３のように、駐車場における路面に一対の発光体付車止めブロック１１を所定の間隔で並べて固定配置し、車止めブロック本体１２が自動車の車止めとして機能する。
【００３０】
上記車止めブロック本体１２に設けた電源装置１４は、日中の太陽光によって太陽電池素子２０が発電し、発電した電力を蓄電部２２に充電して蓄電し、周辺がしかるべき照度になると、蓄電部２２からの放電によって発光体１３の光源１９を自動的に点灯又は点滅させ、周辺が明るくなると光源１９への放電を遮断する。
【００３１】
光源１９の点灯したときの光は樹脂製レンズ１７内に照射され、樹脂製レンズ１７は、車止めブロック本体１２の前面１２ｂと上面１２ｃに露見する前面１７ａと上面１７ｂから光が拡散することにより発光状態となる。
【００３２】
上記のように、樹脂製レンズ１７による光の点灯又は点滅により、周辺が暗くても遠くから車止めブロック本体１２の存在とその位置を知ることができ、雨天時でも顔を出さずとも確認できるので、後退駐車時にもサイドミラーにより定位置への駐車が容易に可能となり、しかも、路面の光との区別もしやすく、歩行者や自転車からの認識度も高くなり、安全性が向上する。
【符号の説明】
【００３３】
１１          発光体付車止めブロック
１２          車止めブロック本体
１３          発光体
１４          電源装置
１５          凹欠部
１６          収納部
１７          樹脂製レンズ
１８          収納孔
１９          光源
２０          太陽電池素子
２１          基板
２２          蓄電池
２３          トランジスタ
【図１】
2011231462.tif 000003
【図２】
2011231462.tif 000004
【図３】
2011231462.tif 000005
【図４】
2011231462.tif 000006